(57)【要約】好ましいローミングリスト（ＰＲＬ）は、無線ワイドエリアネットワーク（ＷＷＡＮ）システムと無線ローカルエリアネットワーク（ＷＬＡＮ）とに関するシステムおよび捕捉レコードを保持する。ＷＬＡＮに関して新しいシステムおよび捕捉レコードが定義され得る。ＰＲＬとシステムおよび捕捉レコードは、ＴＩＡ−６８３−Ｃと下位互換性があるように定義され得る。ＷＬＡＮシステムに関するシステムおよび捕捉情報は、それぞれ新しいシステムおよび捕捉レコードに記憶され得る。ＷＬＡＮシステムに関して暗号化および／または認証を実行するために使用される情報は、別のＷＬＡＮ認証プロファイルテーブルに記憶され得る。各ＷＬＡＮシステムに関するシステムレコードは、このＷＬＡＮシステムに関する捕捉レコードとプロファイルレコードとを示す。ネットワーク識別子テーブルもまた、ＷＬＡＮシステムに関するシステムレコードとプロファイルレコードとを保持し得る。システムレコードは、ＷＬＡＮシステム選択および捕捉のために使用される情報を保持する。プロファイルレコードは、ＷＬＡＮシステムに関して暗号化および／または認証を実行するために使用される情報を保持する。
2008547270.tif 000002
【特許請求の範囲】
【請求項１】
少なくとも１つの無線ワイドエリアネットワーク（ＷＷＡＮ）システムと少なくとも１つの無線ローカルエリアネットワーク（ＷＬＡＮ）システムとに関する好ましいローミングリスト（ＰＲＬ）を記憶するように動作するメモリユニットと、
システム選択および捕捉のために前記ＰＲＬを使用するように動作するプロセッサと、を備える装置。
【請求項２】
前記プロセッサは、前記ＰＲＬ内の捕捉レコードに基づいて少なくとも１つのシステムを捕捉するように動作する、請求項１に記載の装置。
【請求項３】
前記プロセッサは、前記ＰＲＬ内のシステムレコードに基づいて前記少なくとも１つのＷＷＡＮシステムと前記少なくとも１つのＷＬＡＮシステムとの中からシステムを選択するように動作する、請求項１に記載の装置。
【請求項４】
前記プロセッサは、ある地理的領域内のＷＷＡＮおよびＷＬＡＮシステムに関するシステムレコードを前記ＰＲＬから取得し、前記システムレコードに基づいて前記地理的領域内の前記ＷＷＡＮおよびＷＬＡＮシステムに関する優先度を決定し、また前記優先度に基づいて前記地理的領域内の前記ＷＷＡＮおよびＷＬＡＮシステムの中から少なくとも１つのシステムを選択するように動作する、請求項１に記載の装置。
【請求項５】
前記プロセッサは、最初に１つのＷＷＡＮシステムを捕捉し、前記捕捉されたＷＷＡＮシステムに基づいて、もし利用可能あれば次に１つのＷＬＡＮシステムを捕捉するように動作する、請求項１に記載の装置。
【請求項６】
前記プロセッサは最初に１つのＷＷＡＮシステムの捕捉を試み、もしＷＷＡＮシステムが捕捉されなければ１つのＷＬＡＮシステムの捕捉を試みるように動作する、請求項１に記載の装置。
【請求項７】
前記メモリユニットは前記少なくとも１つのＷＬＡＮシステムに関するプロファイルテーブルを記憶するように動作し、前記プロファイルテーブルは前記少なくとも１つのＷＬＡＮシステムに関する認証と暗号化のために使用される情報を保持する、請求項１に記載の装置。
【請求項８】
前記プロセッサは選択されたＷＬＡＮシステムに関するプロファイルレコードを前記プロファイルテーブルから取得し、前記プロファイルレコードに基づいて前記選択されたＷＬＡＮシステムに関して認証を実行するように動作する、請求項７に記載の装置。
【請求項９】
前記プロセッサは、前記プロファイルレコードに基づいて前記選択されたＷＬＡＮシステムのために使用する認証スキームを決定し、前記プロファイルレコードからセキュリティ関連情報を取得し、前記認証スキームに従って、また更に前記セキュリティ関連情報基づいて前記選択されたＷＬＡＮシステムに関して認証を実行するように動作する、請求項８に記載の装置。
【請求項１０】
前記プロセッサは、選択されたＷＬＡＮシステムに関するプロファイルレコードを前記プロファイルテーブルから取得し、前記プロファイルレコードに基づいて前記選択されたＷＬＡＮシステムに関して暗号化を実行するように動作する、請求項７に記載の装置。
【請求項１１】
前記プロセッサは、前記プロファイルレコードに基づいて前記選択されたＷＬＡＮシステムのために使用する暗号化スキームを決定し、前記プロファイルレコードからセキュリティ関連情報を取得し、前記暗号化スキームに従って、また更に前記セキュリティ関連情報基づいて前記選択されたＷＬＡＮシステムに関して暗号化を実行するように動作する、請求項１０に記載の装置。
【請求項１２】
前記ＰＲＬは各ＷＬＡＮシステムに関して１つのシステムレコードを備え、各システムレコードは関連ＷＬＡＮシステムに関するサービスセット識別子（ＳＳＩＤ）、捕捉レコード、プロファイルレコード、優先度、プレフィックス、またはこれらの組合せを示す、請求項１に記載の装置。
【請求項１３】
前記ＰＲＬは各ＷＬＡＮシステムに関して１つの捕捉レコードを備え、各捕捉レコードは関連ＷＬＡＮシステムに関するテクノロジー、帯域クラス、チャネル、またはこれらの組合せを示す、請求項１に記載の装置。
【請求項１４】
前記プロファイルテーブルは各ＷＬＡＮシステムに関して１つのプロファイルレコードを備え、各プロファイルレコードは関連ＷＬＡＮシステムに関する認証スキーム、暗号化スキーム、セキュリティ鍵、パスワード、ユーザ識別子、またはこれらの組合せを示す、請求項７に記載の装置。
【請求項１５】
前記メモリユニットは少なくとも１つのプロファイルレコードからなるプロファイルテーブルを記憶するように動作し、また各プロファイルレコードは前記プロファイルレコードに関するプロファイルタイプによって決定される情報の特定のタイプを記憶する、請求項１に記載の装置。
【請求項１６】
前記少なくとも１つのＷＬＡＮシステムは予め決められたタイプ値を割り当てられる、請求項１５に記載の装置。
【請求項１７】
前記ＰＲＬはＴＩＡ−６８３−Ｃ規格に対して下位互換性がある、請求項１に記載の装置。
【請求項１８】
システム選択および捕捉を実行する方法であって、
少なくとも１つの無線ワイドエリアネットワーク（ＷＷＡＮ）システムと少なくとも１つの無線ローカルエリアネットワーク（ＷＬＡＮ）システムとに関する好ましいローミングリスト（ＰＲＬ）を取得することと、
システム選択および捕捉のために前記ＰＲＬを使用することと、を備える方法。
【請求項１９】
システム選択および捕捉のために前記ＰＲＬを前記使用することは、
前記ＰＲＬから少なくとも１つの捕捉レコードを取得することと、
前記少なくとも１つの捕捉レコードに基づいて少なくとも１つのシステムを捕捉することと、
前記少なくとも１つの捕捉されたシステムと、前記少なくとも１つの捕捉されたシステムと同じ地理的領域内のＷＷＡＮおよびＷＬＡＮシステムと、に関するシステムレコードを前記ＰＲＬから取得することと、
前記システムレコードに基づいて前記地理的領域内のシステムを選択することと、を備える、請求項１８に記載の方法。
【請求項２０】
選択されたＷＬＡＮシステムに関するプロファイルレコードを取得することと、
前記プロファイルレコードに基づいて前記選択されたＷＬＡＮシステムのために使用する認証スキームを決定することと、
前記プロファイルレコードから前記選択されたＷＬＡＮシステムに関するセキュリティ関連情報を取得することと、
前記認証スキームに従って、また更に前記セキュリティ関連情報に基づいて前記選択されたＷＬＡＮシステムに関して認証を実行することと、を更に備える、請求項１８に記載の方法。
【請求項２１】
選択されたＷＬＡＮシステムに関するプロファイルレコードを取得することと、
前記プロファイルレコードに基づいて前記選択されたＷＬＡＮシステムのために使用する暗号化スキームを決定することと、
前記プロファイルレコードから前記選択されたＷＬＡＮシステムに関するセキュリティ関連情報を取得することと、
前記暗号化スキームに従って、また更に前記セキュリティ関連情報に基づいて前記選択されたＷＬＡＮシステムに関して暗号化を実行することと、を更に備える、請求項１８に記載の方法。
【請求項２２】
少なくとも１つの無線ワイドエリアネットワーク（ＷＷＡＮ）システムと少なくとも１つの無線ローカルエリアネットワーク（ＷＬＡＮ）システムとに関する好ましいローミングリスト（ＰＲＬ）を取得するための手段と、
システム選択および捕捉のために前記ＰＲＬを使用するための手段と、を備える装置。
【請求項２３】
システム選択および捕捉のために前記ＰＲＬを使用するための前記手段は、
前記ＰＲＬから少なくとも１つの捕捉レコードを取得するための手段と、
前記少なくとも１つの捕捉レコードに基づいて少なくとも１つのシステムを捕捉するための手段と、
前記少なくとも１つの捕捉されたシステムと、前記少なくとも１つの捕捉されたシステムと同じ地理的領域内のＷＷＡＮおよびＷＬＡＮシステムと、に関するシステムレコードを前記ＰＲＬから取得するための手段と、
前記システムレコードに基づいて前記地理的領域内のシステムを選択するための手段と、を備える、請求項２２に記載の装置。
【請求項２４】
選択されたＷＬＡＮシステムに関するプロファイルレコードを取得するための手段と、
前記プロファイルレコードに基づいて前記選択されたＷＬＡＮシステムのために使用する認証スキームを決定するための手段と、
前記プロファイルレコードから前記選択されたＷＬＡＮシステムに関するセキュリティ関連情報を取得するための手段と、
前記認証スキームに従って、また更に前記セキュリティ関連情報に基づいて前記選択されたＷＬＡＮシステムに関して認証を実行するための手段と、を更に備える、請求項２２に記載の方法。
【請求項２５】
選択されたＷＬＡＮシステムに関するプロファイルレコードを取得するための手段と、
前記プロファイルレコードに基づいて前記選択されたＷＬＡＮシステムのために使用する暗号化スキームを決定するための手段と、
前記プロファイルレコードから前記選択されたＷＬＡＮシステムに関するセキュリティ関連情報を取得するための手段と、
前記暗号化スキームに従って、また更に前記セキュリティ関連情報に基づいて前記選択されたＷＬＡＮシステムに関して暗号化を実行するための手段と、を更に備える、請求項２２に記載の装置。
【請求項２６】
少なくとも１つの無線ワイドエリアネットワーク（ＷＷＡＮ）システムと少なくとも１つの無線ローカルエリアネットワーク（ＷＬＡＮ）システムとに関する好ましいローミングリスト（ＰＲＬ）取得し、
システム選択および捕捉のために前記ＰＲＬを使用するための、無線装置内で動作可能な命令を記憶するためのプロセッサ可読媒体。
【請求項２７】
前記ＰＲＬから少なくとも１つの捕捉レコードを取得し、
前記少なくとも１つの捕捉レコードに基づいて少なくとも１つのシステムの捕捉を命令し、
前記少なくとも１つの捕捉されたシステムと、前記少なくとも１つの捕捉されたシステムと同じ地理的領域内のＷＷＡＮおよびＷＬＡＮシステムと、に関するシステムレコードを前記ＰＲＬから取得し、また
前記システムレコードに基づいて前記地理的領域内のシステムを選択するように動作可能な命令を更に記憶するための、請求項２６に記載のプロセッサ可読媒体。
【請求項２８】
少なくとも１つの無線ローカルエリアネットワーク（ＷＬＡＮ）システムに関するシステムおよびセキュリティ関連情報を含む少なくとも１つのファイルを記憶するように動作するメモリユニットと、
ＷＬＡＮシステムを捕捉し、選択するために前記少なくとも１つのファイルを使用するように動作するプロセッサと、を備える無線装置であって、前記少なくとも１つのファイルは前記少なくとも１つのＷＬＡＮシステムに関するシステム選択および捕捉のために前記無線装置によって使用される無線装置。
【請求項２９】
前記プロセッサは、前記少なくとも１つのＷＬＡＮシステムに関する少なくとも１つのシステムレコードを前記少なくとも１つのファイルから取得し、前記少なくとも１つのシステムレコードに基づいて前記少なくとも１つのＷＬＡＮシステムの１つを選択し、また選択されたＷＬＡＮシステムを関連システムレコードに基づいて捕捉するように動作する、請求項２８に記載の無線装置。
【請求項３０】
前記プロセッサは、選択されたＷＬＡＮシステムに関するプロファイルレコードを前記少なくとも１つのファイルから取得し、前記プロファイルレコードに基づいて認証スキームを決定し、もしあれば前記選択されたＷＬＡＮシステムに関して決定された前記認証スキームに従って前記選択されたＷＬＡＮシステムに関して認証を実行するように機能する、請求項２８に記載の無線装置。
【請求項３１】
前記プロセッサは、選択されたＷＬＡＮシステムに関するプロファイルレコードを前記少なくとも１つのファイルから取得し、前記プロファイルレコードに基づいて暗号化スキームを決定し、もしあれば前記選択されたＷＬＡＮシステムに関して決定された前記暗号化スキームに従って前記選択されたＷＬＡＮシステムに関して暗号化を実行するように機能する、請求項２８に記載の無線装置。
【請求項３２】
前記少なくとも１つのファイルは、前記少なくとも１つのＷＬＡＮシステムに関する少なくとも１つのシステムレコードを備え、各システムレコードは関連ＷＬＡＮシステムに関するテクノロジー、帯域クラス、チャネル、モード、サービスセット識別子（ＳＳＩＤ）、またはこれらの組合せを示す、請求項２８に記載の無線装置。
【請求項３３】
前記少なくとも１つのファイルは、前記少なくとも１つのＷＬＡＮシステムに関する少なくとも１つのプロファイルレコードを備え、各プロファイルレコードは関連ＷＬＡＮシステムに関する認証スキーム、暗号化スキーム、セキュリティ鍵、パスワード、ユーザ識別子、またはこれらの組合せを示す、請求項２８に記載の無線装置。
【請求項３４】
前記少なくとも１つのファイルは、前記少なくとも１つのＷＬＡＮシステムに関する少なくとも１つのシステムレコードと、前記少なくとも１つのＷＬＡＮシステムに関する前記テクノロジーとは異なるテクノロジーを利用する少なくとも１つの他のシステムに関する少なくとも１つの他のシステムレコードと、を備える、請求項２８に記載の無線装置。
【請求項３５】
前記メモリユニットは、前記少なくとも１つの無線ＷＬＡＮシステムに関する前記システム情報とセキュリティ関連情報の両者を含む単一のファイルを記憶するように動作する、請求項２８に記載の無線装置。
【請求項３６】
前記メモリユニットは、前記少なくとも１つの無線ＷＬＡＮシステムに関する前記システム情報を含む第１のファイルと前記少なくとも１つの無線ＷＬＡＮシステムに関する前記セキュリティ関連情報を含む第２のファイルとを記憶するように動作する、請求項２８に記載の無線装置。
【請求項３７】
少なくとも１つの無線ローカルエリアネットワーク（ＷＬＡＮ）システムに関するシステムおよびセキュリティ関連情報を含む少なくとも１つのファイルを取得することと、
ＷＬＡＮシステムを捕捉し、選択するために前記少なくとも１つのファイルを使用することと、を備える、システム選択および捕捉を実行する方法であって、前記少なくとも１つのファイルは前記少なくとも１つのＷＬＡＮシステムに関するシステム選択および捕捉のために無線装置によって使用される、方法。
【請求項３８】
システム選択および捕捉のために前記少なくとも１つのファイルを前記使用することは、
前記少なくとも１つのＷＬＡＮシステムに関する少なくとも１つのシステムレコードを前記少なくとも１つのファイルから取得することと、
前記少なくとも１つのシステムレコードに基づいて前記少なくとも１つのＷＬＡＮシステムの１つを選択することと、
選択されたＷＬＡＮシステムを関連システムレコードに基づいて捕捉することと、を備える、請求項３７に記載の方法。
【請求項３９】
選択されたＷＬＡＮシステムに関するプロファイルレコードを前記少なくとも１つのファイルから取得することと、
前記プロファイルレコードに基づいて認証スキームを決定することと、
もしあれば前記選択されたＷＬＡＮシステムに関して決定された前記認証スキームに従って前記選択されたＷＬＡＮシステムに関して認証を実行することと、
前記プロファイルレコードに基づいて暗号化方式を決定することと、
もしあれば前記選択されたＷＬＡＮシステムに関して決定された前記暗号化スキームに従って前記選択されたＷＬＡＮシステムに関して暗号化を実行することと、を更に備える、請求項３７に記載の方法。
【請求項４０】
少なくとも１つの無線ローカルエリアネットワーク（ＷＬＡＮ）システムに関するシステムおよびセキュリティ関連情報を含む少なくとも１つのファイルを取得するための手段と、
ＷＬＡＮシステムを捕捉し、選択するために前記少なくとも１つのファイルを使用するための手段と、を備える装置であって、前記少なくとも１つのファイルは前記少なくとも１つのＷＬＡＮシステムに関するシステム選択および捕捉のために無線装置によって使用される、装置。
【請求項４１】
システム選択および捕捉のために前記少なくとも１つのファイルを使用するための前記手段は、
前記少なくとも１つのＷＬＡＮシステムに関する少なくとも１つのシステムレコードを前記少なくとも１つのファイルから取得するための手段と、
前記少なくとも１つのシステムレコードに基づいて前記少なくとも１つのＷＬＡＮシステムの１つを選択するための手段と、
選択されたＷＬＡＮシステムを関連システムレコードに基づいて捕捉するための手段と、を備える、請求項４０に記載の装置。
【請求項４２】
選択されたＷＬＡＮシステムに関するプロファイルレコードを前記少なくとも１つのファイルから取得するための手段と、
前記プロファイルレコードに基づいて認証スキームを決定するための手段と、
もしあれば前記選択されたＷＬＡＮシステムに関して決定された前記認証スキームに従って前記選択されたＷＬＡＮシステムに関して認証を実行するための手段と、
前記プロファイルレコードに基づいて暗号化スキームを決定するための手段と、
もしあれば前記選択されたＷＬＡＮシステムに関して決定された前記暗号化スキームに従って前記選択されたＷＬＡＮシステムに関して暗号化を実行するための手段と、を更に備える、請求項４０に記載の装置。
【発明の詳細な説明】
【関連出願】
【０００１】
（Ｕ．Ｓ．Ｃ．§１１９の下での優先権の主張）
本特許出願は、参照により本明細書に明瞭に組み込まれる２００５年６月１７日に出願された「Ａｄｄｉｔｉｏｎ  ｏｆ  ＷＬＡＮ  Ｓｙｓｔｅｍ  ｉｎｆｏｒｍａｔｉｏｎ  ｉｎ  ｔｈｅ  ＰＲＬ  （Ｐｒｅｆｅｒｒｅｄ  Ｒｏａｍｉｎｇ  Ｌｉｓｔ）  ａｎｄ  ｕｓｅｒｓ‘  ｐｒｉｖａｔｅ  ＷＬＡＮ  ｓｙｓｔｅｍ  ｌｉｓｔ  ｔｏ  ｅｎａｃｔ  （ＰＲＬ（好ましいローミングリストにおけるＷＬＡＮシステム情報の追加および制定すべきユーザの私設ＷＬＡＮシステムリスト）」と題する仮出願第６０／６９１，９４７号に対する優先権を主張する。
【技術分野】
【０００２】
本開示は、一般的には通信に関し、より特定的には無線装置によるシステム選択および捕捉を実行するための技法に関する。
【背景技術】
【０００３】
無線通信システムは、音声、パケットデータなどといった種々の通信サービスを提供するために広く展開されている。これらの無線システムは、利用可能なシステム資源を共用することによって多数のユーザとの通信をサポートできる多元接続システムであり得る。このような多元接続システムの例は、符号分割多元接続（ＣＤＭＡ）システム、時分割多元接続（ＴＤＭＡ）システムおよび周波数分割多元接続（ＦＤＭＡ）システムを含む。ＣＤＭＡシステムは、当分野で公知のＩＳ−２０００およびＩＳ−９５（一般に「１ｘ−ＥＶ−ＤＶ」または単に「１ｘ」と呼ばれる）、ＩＳ−８５６（一般に「１ｘ−ＥＶ−ＤＯ」と呼ばれる）などといった１つ以上のＣＤＭＡ規格を実施できる。
【０００４】
１ｘおよび／または１ｘ−ＥＶ−ＤＯをサポートする無線装置（例えば携帯電話）は典型的には、好ましいローミングリスト（ＰＲＬ）を保持する。このＰＲＬは、特に無線装置がローミングしているときに、無線装置が１ｘおよび１ｘ−ＥＶ−ＤＯシステムにおいてシステム選択および捕捉を実行するのを助けるための情報を含んでいる。ＰＲＬは、無線装置が使用すべきである「許可された」システムと、（任意選択的に）無線装置が使用すべきでない「禁止された」システムとを識別する。
【０００５】
１ｘに関するＰＲＬフォーマットは、公的に利用可能である１９９８年６月の「Ｏｖｅｒ−ｔｈｅ−Ａｉｒ  Ｓｅｒｖｉｃｅ  Ｐｒｏｖｉｓｉｏｎｉｎｇ  ｏｆ  Ｍｏｂｉｌｅ  Ｓｔａｔｉｏｎｓ  ｉｎ  Ｓｐｒｅａｄ  Ｓｐｅｃｔｒｕｍ  Ｓｔａｎｄａｒｄｓ  （拡散スペクトル規格における移動局の無線サービス提供）」と題する文書ＴＩＡ／ＥＩＡ／ＩＳ−６８３−Ａに記載されている。１ｘ−ＥＶ−ＤＯに関するＰＲＬフォーマットは、これも公的に利用可能である２００３年３月の「Ｏｖｅｒ−ｔｈｅ−Ａｉｒ  Ｓｅｒｖｉｃｅ  Ｐｒｏｖｉｓｉｏｎｉｎｇ  ｏｆ  Ｍｏｂｉｌｅ  Ｓｔａｔｉｏｎｓ  ｉｎ  Ｓｐｒｅａｄ  Ｓｐｅｃｔｒｕｍ  Ｓｔａｎｄａｒｄｓ  （拡散スペクトル規格における移動局の無線サービス提供）」と題する文書ＴＩＡ−６８３−Ｃに記載されている。ＴＩＡ−６８３−Ｃは、（１）ＩＳ−６８３−Ａに基づいていて、１ｘシステムに関するＰＲＬ情報を伝達できるＰＲＬフォーマットと、（２）１ｘおよび１ｘＥＶ−ＤＯシステムの両者に関するＰＲＬ情報を伝達できる拡張ＰＲＬフォーマットと、を定義する。ＴＩＡ−６８３−Ｃは、ＩＳ−６８３−Ａとは下位互換性がある。
【０００６】
拡張ＰＲＬを記憶する無線装置は、１ｘおよび１ｘ−ＥＶ−ＤＯシステムを選択して捕捉できる。しかしながらこの無線装置は、ＴＩＡ−６８３−Ｃによってカバーされない他のシステムを選択して捕捉することはできない。
【発明の開示】
【０００７】
本明細書では、無線ワイドエリアネットワーク（ＷＷＡＮ）システムならびに無線ローカルエリアネットワーク（ＷＬＡＮ）システムに関するシステム選択および捕捉を実行するための技法が説明される。ＷＷＡＮシステムは、１ｘシステム、１ｘＥＶ−ＤＯシステムおよび／または何か他のタイプのシステムであり得る。ＷＬＡＮシステムは、ＩＥＥＥ８０２．１１システムおよび／または何か他のタイプのシステムであり得る。
【０００８】
一態様ではＰＲＬは、ＷＷＡＮシステムとＷＬＡＮシステムとに関するシステムレコードと捕捉レコードとを保持している。システムレコードの１つ以上の新しいタイプと捕捉レコードの１つ以上の新しいタイプが、ＷＬＡＮに関して定義され得る。ＰＲＬと新しいシステムレコードおよび捕捉レコードは、ＴＩＡ−６８３−Ｃと下位互換性があるように定義され得る。ＷＬＡＮシステムに関するシステムおよび捕捉情報は、ＰＲＬに含まれるそれぞれ新しいシステムレコードおよび捕捉レコードに記憶され得る。ＰＲＬは、無線装置内にプログラムされることが可能であり、および／または通常の仕方で無線で送られることもできる。ＷＬＡＮシステムに関して暗号化および／または認証を実行するために使用されるセキュリティ関連情報は、別のＷＬＡＮ認証プロファイルテーブル内に記憶され得る。各ＷＬＡＮシステムに関するシステムレコードは、このＷＬＡＮシステムのために適用可能な捕捉レコードとプロファイルレコードとを指示し得る。
【０００９】
もう１つの態様では、ネットワーク識別子テーブルは、ＷＬＡＮシステムと、おそらく他のタイプのシステムと、に関するシステムレコードとプロファイルレコードとを記憶する。システムレコードは、システム選択および捕捉のために使用される情報を保持する。ネットワーク識別子テーブル内のシステムレコードは、ＴＩＡ−６８３−Ｃと逆方向互換である必要はなく、効率的な仕方で関連情報を保持するように定義され得る。プロファイルレコードは、ＷＬＡＮシステムに関して暗号化および／または認証を実行するために使用される情報を保持する。
【００１０】
本発明の種々の態様と実施形態は、下記に更に詳細に説明される。
【００１１】
本発明の特徴と性質は、同様な参照文字が全体を通して対応するように識別する図面に関連して考慮されるときに前述の詳細説明から一層明らかになるであろう。
【発明を実施するための最良の形態】
【００１２】
用語「例示的」は本明細書では、「例、事例または実例として役立つこと」を意味するように使用される。「例示的」として本明細書に説明される如何なる実施形態または設計も、他の実施形態または設計に対して好ましいまたは有利であると必ずしも解釈されるべきではない。
【００１３】
図１は、ＷＷＡＮ１００とＷＬＡＮ１０２とによる展開配置を示す。ＷＷＡＮ１００は、大きな地理的領域、例えば都市、州などのための通信カバレージを与える。ＷＬＡＮ１０２は、より小さな地理的領域、例えばモール、キャンパス、商店などのための通信カバレージを与える。ＷＷＡＮ１００のカバレージエリアは、ＷＬＡＮ１０２のカバレージエリアとオーバーラップすることも、しないこともあり得る。
【００１４】
ＷＷＡＮ１００は１ｘネットワーク、１ｘＥＶ−ＤＯネットワークまたは何か他のタイプのネットワークであり得る。ＷＷＡＮ１００は１つ以上のシステムを含み、各システムは１つ以上の、より小さなネットワークを含む。１ｘネットワーク内の各システムは、システム識別（ＳＩＤ）値によって識別され、各１ｘシステムの各より小さなネットワークはネットワーク識別（ＮＩＤ）値によって識別される。１ｘＥＶ−ＤＯネットワーク内のシステムとネットワークは、最大１２８ビット長であって１９９８年１２月の「Ｉｎｔｅｒｎｅｔ  Ｐｒｏｔｏｃｏｌ，Ｖｅｒｓｉｏｎ  ６（ＩＰｖ６）Ｓｐｅｃｉｆｉｃａｔｉｏｎ（インターネットプロトコル・バージョン６（ＩＰｖ６）仕様）」と題する、ＲＦＣ２４６０に記載されているようなＩＰｖ６表現フォーマットに従い得るサブネットＩＤを使用して識別される。用語「ネットワーク」と「システム」は、時には相互交換可能に使用される。
【００１５】
ＷＷＡＮ１００は典型的には、ＷＷＡＮのカバレージエリア内の無線装置１２０のための通信をサポートする多くの基地局１１０を含む。簡単のためにＷＷＡＮ１００に関しては、図１には単に３つの基地局が示されている。基地局は無線装置と通信する固定された局であって、基地トランシーバ局（ＢＴＳ）（１ｘ用語）、アクセスポイント（１ｘＥＶ−ＤＯ用語）、または何か他の用語でも呼ばれ得る。無線装置１２０は、ＷＷＡＮ１００のカバレージエリア全体に亘って位置している。無線装置はまた、移動局（１ｘ用語）、ユーザ／アクセス端末（１ｘＥＶ−ＤＯ用語）、ユーザ装置（ＵＥ）、移動装置（ＭＥ）、加入者装置または何か他の用語でも呼ばれ得る。無線装置は、携帯電話、パーソナルディジタルアシスタント（ＰＤＡ）、無線モデム、送受器などであり得る。移動交換センター（ＭＳＣ）１３０は、ＷＷＡＮ１００内の基地局１１０のための配位と制御とを与える。
【００１６】
ＷＬＡＮ１０２は、ＩＥＥＥ８０２．１１ネットワークまたは何か他のタイプのネットワークであり得る。ＷＬＡＮ１０２は、当分野では公知のＩＥＥＥ規格８０２．１１ａ−１９９９（一般に「８０２．１１ａ」と呼ばれる）、ＩＥＥＥ規格８０２．１１ｂ−１９９９（一般に「８０２．１１ｂ」と呼ばれる）、ＩＥＥＥ規格８０２．１１ｇ−２００３（一般に「８０２．１１ｇ」と呼ばれる）などといった１つ以上の規格を実施できる。ＷＬＡＮ１０２は、ＷＬＡＮの展開配置サイズに依存して１つ以上のシステムを含み得る。各システムは、最大３２バイト長であり得るサービスセット識別子（ＳＳＩＤ）によって識別される。ＷＬＡＮ１０２は、このＷＬＡＮのカバレージエリア内の無線端末１２２（例えばラップトップコンピュータ）と無線装置１２０のための通信をサポートする１つ以上のアクセスポイント１１２を含む。簡単のためにＷＬＡＮ１０２に関して図１には単に３個のアクセスポイント１１２が示されている。集中型アーキテクチャに関してはシステムコントローラ１３２がＷＬＡＮ１０２内のアクセスポイント１１２のための配位と制御とを与える。
【００１７】
１ｘおよび１ｘＥＶ−ＤＯについて無線装置は、システム選択および捕捉のために好ましいローミングリスト（ＰＲＬ）を保持する。無線装置は、例えば製造時または活性化時にシリアルインタフェースまたはＵＳＢインタフェースを介してＰＲＬを用いてプログラムされ得る。無線装置はまた、無線でＰＲＬをダウンロードすることもでき、および／または無線装置に挿入された着脱可能モジュールからＰＲＬを取得することもできる。無線装置は、無線装置または着脱可能モジュール内に存在し得る不揮発性メモリにＰＲＬを記憶する。
【００１８】
図２は、ＩＳ−６８３−ＡとＴＩＡ−６８３−Ｃとにおいて使用される構造を有するＰＲＬ２００を示す。ＰＲＬ２００は、システムテーブル２１０と捕捉テーブル２５０とを含む。システムテーブル２１０は、地理的領域（ＧＥＯ）によって編成される許可された、および禁止されたシステム／ネットワークのリストを含む。明瞭のために図２は、それぞれの表にされたテーブルによって表される各地理的領域を示す。各表にされたテーブルは、無線装置がアクセスすべきである好ましいシステム／ネットワークに関するセクション２２０と無線装置がアクセスすべきでない禁止されたシステム／ネットワークに関するセクション２３０とを含む。
【００１９】
システムテーブルと捕捉テーブルは、１ｘおよび１ｘＥＶ−ＤＯに関して異なるフォーマットを有する。図２は１ｘのためのＰＲＬフォーマットを示す。各地理的領域に関して表にされた表は、（１）地理的領域内の１つ以上のシステム／ネットワークに関する１つ以上のレコードと（２）各レコードの関連情報のための多数のフィールドとを含む。これらのフィールドは、システムフィールド、選択優先フィールド、ローミング指示フィールドおよび捕捉インデックスフィールドを含む。各レコードについてシステムフィールドは、このレコードに関連するシステム／ネットワークに割り当てられた（ＳＩＤ，ＮＩＤ）ペアを記憶する。選択優先フィールドは、同じ地理的領域内の許可されたシステム／ネットワークのすべての中の関連システム／ネットワークに関する優先度を示す。ネットワーク運用者は典型的には、優先度を指定する。ローミング指示フィールドは、関連システム／ネットワークから信号を受信したときに、無線装置上のローミングインジケータがどのように表示されるべきかを指定する。捕捉インデックスフィールドは、関連システム／ネットワークを捕捉するために使用すべきパラメータを含む捕捉テーブル２５０内に特定のレコードをポイントするインデックス値を記憶する。捕捉テーブル２５０は、各一意のインデックス値に関して１つのレコードを含む。各捕捉レコードは、システム捕捉のために使用される種々のパラメータのための多数のフィールドを含む。異なるタイプのシステムに関する捕捉レコードは、異なるフォーマットを有する。
【００２０】
図２は、１ｘに関するＰＲＬの図形的表現を示す。１ｘＥＶ−ＤＯに関するＰＲＬは異なるフォーマットを有する。１ｘと１ｘＥＶ−ＤＯの両者についてＰＲＬ情報は、典型的には１ファイルとして記憶される。
【００２１】
図３は、ＴＩＡ−６８３−Ｃによって定義される拡張ＰＲＬフォーマットのＰＲＬである拡張ＰＲＬを含むファイル３００を示す。拡張ＰＲＬは、多数のフィールドを含んでおり、それらのすべては図３に示されている。表１は拡張ＰＲＬ内のフィールドに関する簡単な説明を与える。
【表１】
2008547270.tif 000003
【００２２】
従来から拡張ＰＲＬは、１ｘおよび／または１ｘＥＶ−ＤＯシステムに関する拡張システムレコードと拡張捕捉レコードと共通サブネットレコードとを含む。この拡張ＰＲＬを記憶する無線装置は、単に１ｘおよび１ｘＥＶ−ＤＯシステムを選択して捕捉できる。
【００２３】
一態様ではＷＬＡＮおよびＷＷＡＮシステムに関する拡張システムレコードと拡張捕捉レコードと共通サブネットレコードとを保持し得る拡張ＰＲＬが定義される。一実施形態では拡張ＰＲＬは、表１に示されたフォーマットを持っており、拡張ＰＲＬのフィールドのすべてを含み、ＴＩＡ−６８３−Ｃと下位互換性がある。ＴＩＡ−６８３−Ｃをサポートする無線装置（レガシー無線装置と呼ばれる）は、拡張ＰＲＬから１ｘおよび１ｘＥＶ−ＤＯシステムに関するレコードを抽出でき、ＷＬＡＮシステムに関するレコードを無視または廃棄する。拡張ＰＲＬをサポートする新しい無線装置は、ＷＬＡＮシステムに関するレコードを抽出でき、ＷＬＡＮシステムの自動選択および捕捉のためにこれらのレコードを使用する。
【００２４】
ＴＩＡ−６８３−Ｃは、２つのタイプの拡張システムレコード−１ｘシステムに関する１つのタイプと１ｘＥＶ−ＤＯシステムに関するもう１つのタイプを定義する。新しいタイプの拡張システムレコードは、ＷＬＡＮシステムに関して定義され得る。
【００２５】
図４Ａは、ＷＬＡＮに関する拡張システムレコード４１０を示す。拡張システムレコード４１０は、図３に示されたような拡張ＰＲＬ内の拡張システムテーブル内の拡張システムレコードの１つであり得る。拡張システムレコード４１０は、（１）ＴＩＡ−６８３−Ｃによって定義される拡張システムレコード内のフィールドのすべてと（２）新しいＰＲＯＦＩＬＥ ＩＤフィールドとを含む。
【００２６】
ＷＬＡＮ拡張システムレコードは、１グループのアクセスポイントであり得るＷＬＡＮシステムに割り当てられたＳＳＩＤに関する情報を含む。ＳＳＩＤは、最大３２バイト長であり得るＡＳＣＩＩ記号列であって、ＷＬＡＮシステムにおいて送られたすべてのパケットをこのシステムに属すものとして識別するためにこれらすべてのパケットに付加されるＡＳＣＩＩ記号列（例えば「ＡＢＣ」）である。ＷＬＡＮ拡張システムレコードは、ＷＬＡＮシステムに関するＳＳＩＤを含むことができ、あるいはＳＳＩＤが記憶された共通サブネットテーブル内のある位置をポイントし得る。
【００２７】
表２は、ＷＬＡＮ拡張システムレコード４１０のフィールドをリストアップしている。各フィールドの簡単な説明は表２に与えられており、幾つかの関連フィールドに関する、より詳細な説明は以下に与えられる。
【表２】
2008547270.tif 000004
【００２８】
ＷＬＡＮ拡張システムレコード４１０に関するタイプ固有システムＩＤレコードは、ＷＬＡＮに関する種々のフィールドを含む。ＰＲＥＦＩＸフィールドは、もしレコードがＳＳＩＤに関するプレフィックスとして機能していれば「１」に設定される。ＷＬＡＮ展開配置は、類似のＳＳＩＤ、例えば「ＡＢＣ１」、「ＡＢＣ２」、「ＡＢＣ３」などを割り当てられ得る多くのシステムを持ち得る。もしＰＲＥＦＩＸフィールドが「１」に設定されてＳＳＩＤフィールドが「ＡＢＣ」に設定されれば、無線装置は「ＡＢＣ」、例えば「ＡＢＣ１」、「ＡＢＣ２」または「ＡＢＣ３」というＳＳＩＤプレフィックスを有する如何なるＷＬＡＮシステムでも捕捉できる。ＳＵＢＮＥＴ ＣＯＭＭＯＮ ＩＮＣＬＵＤＥＤフィールドは、ＳＳＩＤがＷＬＡＮ拡張システムレコードまたは共通サブネットテーブルに記憶されているかどうかを示す。もしＳＵＢＮＥＴ ＣＯＭＭＯＮ ＩＮＣＬＵＤＥＤ＝「０」であれば、ＳＳＩＤはＳＳＩＤフィールドに記憶されており、ＳＵＢＮＥＴ ＣＯＭＭＯＮ ＯＦＦＳＥＴは省略される。逆にもしＳＵＢＮＥＴ ＣＯＭＭＯＮ ＩＮＣＬＵＤＥＤ＝「１」であれば、ＳＳＩＤフィールドは省略され、ＳＳＩＤはＳＵＢＮＥＴ ＣＯＭＭＯＮ ＯＦＦＳＥＴフィールドによって示される位置の共通サブネットテーブルに記憶される。各共通サブネットレコードは、１５バイト（またはオクテット）を記憶できる。したがってＳＳＩＤの最初の１５バイトはＳＵＢＮＥＴ ＣＯＭＭＯＮ ＯＦＦＳＥＴフィールドによって示される共通サブネットレコードに記憶され、ＳＳＩＤの次の１５バイト（もしあれば）は次の共通サブネットレコードに記憶され、ＳＳＩＤの最後の２バイト（もしあれば）は続く共通サブネットレコードに記憶される。ＳＵＢＮＥＴ ＣＯＭＭＯＮ ＯＦＦＳＥＴフィールドは、共通サブネットテーブル内の最初の共通サブネットレコードに関してゼロである。ＳＳＩＤ ＬＥＮＧＴＨフィールドは、ＳＳＩＤの長さを示す（オクテットで）。ＳＳＩＤ ＬＥＮＧＴＨフィールドは、任意のＳＳＩＤを有するＷＬＡＮが捕捉され得ることを意味するワイルドカードＳＳＩＤを示すために０に設定される。
【００２９】
所定の地理的領域内の多数のＷＷＡＮおよび／またはＷＬＡＮシステムは、互いに関連付けられる可能性があり、この地理的領域に関して一意であるアソシエーションタグを割り当てられ得る。例えば同じ地理的領域内の１ｘシステム、１ｘＥＶ−ＤＯおよび／またはＷＬＡＮシステムは、互いに関連付けられ得る。無線装置は、最初に電源が投入されたときに１ｘシステムを捕捉しよう試み、それから捕捉された１ｘシステムに関連するＷＬＡＮシステムを識別し、それから関連ＷＬＡＮシステムを捕捉しようと試みる可能性がある。この関連（連想）は、無線装置が１ｘシステムに基づいてＷＬＡＮシステムをより迅速に捕捉することを可能にする。
【００３０】
ＰＲＯＦＩＬＥ ＩＤフィールドは、ＷＬＡＮ拡張システムレコードに関連する認証プロファイルをポイントする。ＷＬＡＮに関して認証プロファイルは、下記のようにセキュリティ関連情報を含む。１ｘおよび１ｘＥＶ−ＤＯに関して認証プロファイルは、ＴＩＡ−６８３−Ｃごとに単純なＩＰまたは移動体ＩＰプロファイルに指定されたように、使用すべき特定のネットワークアクセス識別子（ＮＡＩ）と、特定のポイントツーポイントプロトコル／認証、認可およびアカウンティング（ＰＰＰ／ＡＡＡ）認証と、秘密、といった情報を含み得る。レガシー無線装置は、ＤＡＴＡ ＡＳＳＯＣＩＡＴＩＯＮフィールドの後の拡張システムレコードの処理を終了してＰＲＯＦＩＬＥ ＩＤフィールドをスキップするであろう。新しい無線装置は、ＰＲＯＦＩＬＥ ＩＤフィールドを処理し続けるであろう。代替としてＰＲＯＦＩＬＥ ＩＤフィールドは、タイプ固有のシステムＩＤレコードに含まれ得る。
【００３１】
ＴＩＡ−６８３−Ｃは、１２タイプの拡張捕捉レコードを定義する。ＷＬＡＮに関して２つの新しいタイプの拡張捕捉レコードが定義され得る−ＷＬＡＮシステム捕捉（チャネルを使用する）レコードに関する１つの新しいタイプと一般ＷＬＡＮシステム捕捉レコードに関するもう１つの新しいタイプ。
【００３２】
図４Ｂは、ＷＬＡＮシステム捕捉（チャネルを使用する）レコード４２０を示す。捕捉レコード４２０は、図３に示されたように拡張ＰＲＬ内の拡張捕捉テーブルにおける拡張捕捉レコードの１つであり得る。捕捉レコード４２０は、特定のチャネルを使用してＷＬＡＮシステムを捕捉するために使用され得る。
【００３３】
表３は、ＣＨＡＮフィールドの１回以上の出現を含み得る捕捉レコード４２０のフィールドについての簡単な説明を与える。各ＣＨＡＮフィールドは、ＷＬＡＮシステムに関する特定のチャネルを示す。各チャネルは、所定の周波数帯域内のある特定の周波数に対応する。例えばＩＥＥＥ８０２．１１は、２．４ＧＨｚ帯域について１４個の異なる周波数の１４チャネルを定義する。ＮＵＭ ＣＨＡＮＳおよびＣＨＡＮフィールドは、ＴＩＡ−６８３−Ｃで使用されるＮＵＭ ＣＨＡＮＳおよびＣＨＡＮフィールドの長さと一致するそれぞれ５ビットと１１ビットの長さである。捕捉レコード４２０のその他のフィールドは、下記に説明される。
【表３】
2008547270.tif 000005
【００３４】
図４Ｃは、一般ＷＬＡＮシステム捕捉レコード４３０を示す。捕捉レコード４３０は、図３に示されたように拡張ＰＲＬ内の拡張捕捉テーブルにおける拡張捕捉レコードの１つであり得る。捕捉レコード４３０は、規制機関によって指定されるような特定のＷＬＡＮ周波数帯域を使用してＷＬＡＮシステムを捕捉するために使用され得る。表４は、捕捉レコード４３０のフィールドに関する簡単な説明を与える。
【表４】
2008547270.tif 000006
【００３５】
表５は、ＷＬＡＮ ＢＡＮＤ ＣＬＡＳＳフィールドに関する周波数帯域タイプの例示的１セットをリストアップしている。各周波数帯域タイプは、特定の周波数帯域に関して特定の規制機関によって定義されたある幾つかの仕様（例えば送信電力に関する）に関連付けられる。無線装置は、拡張捕捉レコードのＷＬＡＮ ＢＡＮＤ ＣＬＡＳＳフィールドによって示された周波数帯域タイプに関連する仕様に従って動作する。表５はまた、テクノロジータイプの例示的１セットをリストアップしており、ここでＡ、Ｂ、Ｇはそれぞれ、８０２．１１ａ、８０２．１１ｂ、８０２．１１ｇを指す。無線装置は、拡張捕捉レコードのＷＬＡＮ ＴＥＣＨＮＯＬＯＧＹフィールドに示されたテクノロジーに従って動作する。
【表５】
2008547270.tif 000007
【００３６】
図３〜４Ｃと表１〜５は、ＰＲＬと、ＷＬＡＮシステムに関するシステム選択および捕捉をサポートするシステムおよび捕捉レコードと、の特定の実施形態を示している。一般にＰＲＬとシステムおよび捕捉レコードは、ＷＬＡＮシステムの選択と捕捉のために使用され得る任意のタイプの情報のための任意の数のフィールドを含み得る。
【００３７】
図５は、ＷＬＡＮ認証プロファイルを記憶するＷＬＡＮ認証プロファイルテーブル５００を示す。表６は、プロファイルテーブル５００のフィールドに関する簡単な説明を与える。
【表６】
2008547270.tif 000008
【００３８】
ＷＬＡＮ認証プロファイルは、ＷＬＡＮシステムのために使用する暗号化および／または認証（もしあれば）を定義する。このＷＬＡＮ認証プロファイルは、使用する暗号化のタイプ（もしあれば）、使用する認証のタイプ（もしあれば）、および関連する認証および暗号化パラメータといったセキュリティ関連情報を含む。
【００３９】
表７は、ＷＬＡＮ認証プロファイルの可能なフィールドの一実施形態をリストアップしている。ＰＲＯＦＩＬＥ ＩＤフィールドは、ＷＬＡＮ認証プロファイルに関するプロファイルＩＤ値を含む。（１）ＰＲＬにおいてリストアップされていないＷＬＡＮシステムおよび／または（２）ＰＲＬにおいてリストアップされているがＷＬＡＮ認証プロファイルを持たないＷＬＡＮのために使用され得る暗黙ＷＬＡＮ認証プロファイルには０というプロファイルＩＤ値が割り当てられ得る。ＭＯＢＩＬＥ ＩＰ ＰＲＯＦＩＬＥ ＩＤフィールドは、ＷＬＡＮ認証プロファイルで使用する移動体ＩＰプロファイルを示す。この移動体ＩＰプロファイルは、移動体ＩＰに関する認証情報を記憶する。ＭＯＢＩＬＥ ＩＰ ＰＲＯＦＩＬＥ ＩＤフィールドに関する０ｘＦＦという１６進値は、アクティブ移動体ＩＰプロファイル（もしあれば）の使用を示し得る。ＷＬＡＮ認証プロファイルの他のフィールドは、下記に説明される。
【表７】
2008547270.tif 000009
【００４０】
ＷＬＡＮのために種々の暗号化および認証方式が使用され得る。暗号化については４０ビットと１０４ビットの鍵サイズを有するＷｉｒｅｄ  Ｅｑｕｉｖａｌｅｎｔ  Ｐｒｉｖａｃｙ（有線等価プライバシー）（ＷＥＰ）、Ｔｅｍｐｏｒａｌ  Ｋｅｙ  Ｉｎｔｅｇｒｉｔｙ  Ｐｒｏｔｏｃｏｌ（時間鍵整合性プロトコル）（ＴＫＩＰ）、Ａｄｖａｎｃｅｄ  Ｅｎｃｒｙｐｔｉｏｎ  Ｓｔａｎｄａｒｄ（上級暗号化規格）（ＡＥＳ）、またはその他何らかの暗号化がＷＬＡＮのために使用される可能性があり、あるいは暗号化が使用されないこともあり得る。認証についてはＷＥＰベースの認証、Ｅｘｔｅｎｓｉｂｌｅ  Ａｕｔｈｅｎｔｉｃａｔｉｏｎ  Ｐｒｏｔｏｃｏｌ（拡張可能認証プロトコル）（ＥＡＰ）、Ｗｉ−Ｆｉ  Ｐｒｏｔｅｃｔｅｄ  Ａｃｃｅｓｓ（Ｗｉ−Ｆｉ保護アクセス）（ＷＰＡ）、またはその他何らかの認証がＷＬＡＮのために使用される可能性があり、あるいは認証が使用されないこともあり得る。ＥＡＰは、ＥＡＰ−ＴＬＳ（トランスポート層セキュリティ）およびＥＡＰ−ＭＤ５（メッセージ・ダイジェストアルゴリズム５）といった多数の異なる実現形態を含む。ＥＡＰ−ＴＬＳは、ＲＡＤＩＵＳ認証サーバとの確実な通信を利用する。これら種々の暗号化および認証方式は、当分野では公知である。３ＧＰＰ２におけるＷＬＡＮに関する認証は、公的に利用可能である「Ｗｉｒｅｌｅｓｓ  Ｌｏｃａｌ  Ａｒｅａ  Ｎｅｔｗｏｒｋ（ＷＬＡＮ）  Ｉｎｔｅｒｗｏｒｋｉｎｇ」（無線ローカルエリアネットワーク（ＷＬＡＮ）相互作用）と題する文書３ＧＰＰ２  Ｘ．Ｓ００２８に記載されている。
【００４１】
表８は、ＷＬＡＮに関してサポートされ得る暗号化タイプの例示的１セットと認証タイプの例示的１セットとをリストアップしている。無線装置は、ＥＮＣＲＹＰＴＩＯＮ ＴＹＰＥフィールドに示された暗号化方式（もしあれば）に従って暗号化を実行し、また更にＡＵＴＨＥＮＴＩＣＡＴＩＯＮ ＴＹＰＥフィールドに示された認証方式（もしあれば）に従って認証を実行する。ＷＥＰ認証の使用は、ＷＥＰ暗号化が可能にされることを意味する。８０２．１Ｘ ＴＬＳはＴＬＳを有するＩＥＥＥ８０２．１Ｘ／ＥＡＰを示し、８０２．１Ｘ ＭＤ５はＭＤ５を有するＩＥＥＥ８０２．１Ｘ／ＥＡＰを示し、ＷＫＥＹはＷＬＡＮ長期鍵（３ＧＰＰ２Ｘ．Ｓ００２８に記載されている）を示す。「ＲＡＤＩＵＳによる」認証は、認証がＲＡＤＩＵＳサーバを介して実行されることを意味する。「認証ＩＤによる」認証は、保証された認証当局から得られる暗号認証によって認証が実行されることを意味する。
【表８】
2008547270.tif 000010
【００４２】
各認証タイプは、関連パラメータに関するフィールドの特定の１セットに関連付けられ得る。表９は、表８において与えられた各認証タイプに関するフィールドをリストアップしている。各認証タイプについて所定の認証タイプ固有のフィールドに関する「ｘ」は、このフィールドがこの認証タイプに関するＷＬＡＮ認証プロファイル内に含まれることを意味する。
【表９】
2008547270.tif 000011
【００４３】
図６Ａは、ＷＥＰ認証に関するＷＬＡＮ認証プロファイル６１０（ＡＵＴＨＥＮＴＩＦＩＣＡＴＩＯＮ ＴＹＰＥ＝１）を示す。認証プロファイル６１０についてＷＥＰ ＫＥＹ ＩＤ１〜ＷＥＰ ＫＥＹ ＩＤ４フィールドは、ＷＥＰのために使用される４個のセキュリティ鍵を含む。ＤＥＦＡＵＬＴ ＷＥＰ ＫＥＹ ＩＤフィールドは、４個のＷＥＰセキュリティ鍵のうちのどれが暗黙鍵であるかを示す。４個のＷＥＰ鍵フィールドの各々のサイズは６４ビットＷＥＰに関しては５オクテット、１２８ビットＷＥＰに関しては１３オクテットである。各ＷＥＰ鍵フィールドについて、鍵［０］はＷＥＰ鍵の最下位バイトを含み、鍵［０］の最下位ビットはＷＥＰ鍵の最下位ビットを含む。
【００４４】
図６Ｂは、ＲＡＤＩＵＳによるＭＤ５に基づく８０２．１Ｘ認証に関するＷＬＡＮ認証プロファイル６２０（ＡＵＴＨＥＮＴＩＣＡＴＩＯＮ ＴＹＰＥ＝４）を示す。認証プロファイル６２０について８０２．１Ｘ ＩＤ ＬＥＮフィールドは、最大７２バイト長であり得る８０２．１Ｘ ＩＤフィールドのサイズを示す。８０２．１Ｘ ＩＤフィールドは、典型的にはｕｓｅｒ＠ｒｅａｌｍの形をしているＲＡＤＩＵＳベースの手順のために使用されるＩＤを含む。８０２．１Ｘ ＰＡＳＳＷＯＲＤ ＬＥＮフィールドは、最大３１バイト長であり得る８０２．１Ｘパスワードフィールドのサイズを示す。８０２．１Ｘ ＰＡＳＳＷＯＲＤフィールドはＲＡＤＩＵＳベースの８０２．１Ｘ認証に関するＭＤ−５共用秘密を記憶する。
【００４５】
その他の認証タイプに関するＷＬＡＮ認証プロファイルは、表７、９に基づいて形成され得る。ＡＵＴＨＥＮＴＩＣＡＴＩＯＮ ＴＹＰＥ＝２について８０２．１Ｘ ＰＡＳＳＷＯＲＤフィールドは、認証のためにＲＡＤＩＵＳが使用されない家庭／小事務所環境におけるＷＰＡに関する８０２．１Ｘパスワードを記憶する。このパスワードは、ＴＫＩＰ暗号化プログラムを起動するために使用される。
【００４６】
図５、６Ａ、６Ｂと表７、８、９は、ＷＬＡＮ認証プロファイルテーブルと、異なるＷＬＡＮ認証プロファイルと、の特定の実施形態を示している。一般にプロファイルテーブルとプロファイルは、暗号化、認証および／または他の目的のために使用され得る任意のタイプの情報に関する任意の数のフィールドを含み得る。例えば他のタイプの暗号化と認証がサポートされ、これら他のタイプの暗号化と認証によって使用される異なるパラメータのために異なるフィールドがプロファイル内に形成され得る。
【００４７】
上記の実施形態について拡張ＰＲＬはＷＷＡＮおよびＷＬＡＮシステムに関する拡張システムレコードと拡張捕捉レコードとを含み、ＷＬＡＮ認証プロファイルテーブルはＷＬＡＮシステムに関するＷＬＡＮ認証プロファイルを含む。拡張ＰＲＬは典型的には、所望のシステム利用を達成するために、例えば無線装置をネットワーク運用者によって運用されるシステムおよび／またはネットワーク運用者がクロスライセンスを有するシステムに向けるために、ネットワーク運用者によって生成される。ＷＬＡＮ認証プロファイルテーブルは、暗号化と認証のために使用されるセキュリティ関連情報を含み、拡張ＰＲＬのためのファイルとは別であるファイルに記憶され得る。
【００４８】
拡張ＰＲＬは、特定のＷＬＡＮ認証プロファイルテーブルに関連付けられ得る。これは、拡張ＰＲＬ内の拡張システムレコードにおけるＰＲＯＦＩＬＥ ＩＤフィールドがＷＬＡＮ認証プロファイルテーブル内の特定のプロファイルをポイントするからである。ネットワーク運用者は、例えば異なるサービスプランのための拡張ＰＲＬおよびＷＬＡＮ認証プロファイルテーブルの異なるセットを生成し得る。そのとき各無線装置は、加入したサービスプランのための拡張ＰＲＬおよびＷＬＡＮ認証プロファイルテーブルの１セットを記憶できる。
【００４９】
上記の実施形態ではＷＬＡＮシステム選択および捕捉のために使用される情報は、ＴＩＡ−６８３−Ｃと下位互換性のあるフォーマットで記憶される。ＷＬＡＮシステム選択および捕捉のために使用される情報は、ＴＩＡ−６８３−Ｃと下位互換性のある必要がないファイルに、より効率的に記憶され得る。
【００５０】
図７は、ＷＬＡＮシステムを選択して捕捉するための情報を含むネットワーク識別子（ＮＩ）テーブル７００を示す。ネットワーク識別子テーブル７００は、無線ユーザ、ＷＬＡＮの管理者、ＷＷＡＮのネットワーク運用者、および／または他の何らかのエンティティによって創製されることが可能である。ネットワーク識別子テーブル７００は、各無線装置のためにカスタマイズされることが可能であり、所望または必要に応じて修正され得る。例えば無線ユーザは、各ＳＳＩＤとこれの関連パラメータとを指定でき、ＳＳＩＤをネットワーク識別子テーブルに記憶できる。表１０は、ネットワーク識別子テーブル７００のフィールドについての簡単な説明を与える。
【表１０】
2008547270.tif 000012
【００５１】
システムテーブル内の第１のシステムレコード、システムレコード０は、ユーザによって入力されたＷＬＡＮシステム情報を記憶するために使用され得る。ユーザがシステム情報を手動で入力するときはいつでも、この情報は先ずシステムレコード０に記憶される。もしユーザがこのシステム情報を永久に保存したいと思うならば、この情報はシステムテーブル内のもう１つのシステムレコードとして記憶される。
【００５２】
ユーザによって手動で入力されたプロファイル情報を記憶するために０というプロファイルＩＤ値を有する、プロファイルテーブル内の第１のプロファイルが使用され得る。もしユーザがこのプロファイル情報を永久に保存したければ、この情報はプロファイルテーブル内のもう１つのプロファイルとして記憶される。このプロファイルを使用する各システムレコードのＰＲＯＦＩＬＥ ＩＤフィールドは、それに応じて更新される。
【００５３】
図７はまた、ネットワーク識別子テーブル７００内のシステムテーブル内のシステムレコード７１０を示す。表１１は、システムレコード７１０のフィールドについての簡単な説明を与える。
【表１１】
2008547270.tif 000013
【００５４】
ＷＬＡＮ ＢＡＮＤ ＣＬＡＳＳフィールドは、ＷＬＡＮシステムの帯域クラスを示しており、表５に示されたように符号化され得る。ＷＬＡＮ ＴＥＣＨＮＯＬＯＧＹフィールドは、ＷＬＡＮシステムのテクノロジーを示しており、同様に表５に示されたように符号化され得る。代替として８０２．１１ａ、８０２．１１ｂおよび８０２．１１ｇは、ＷＬＡＮ ＴＥＣＨＮＯＬＯＧＹフィールドのそれぞれビット０、１および２に関連付けられることが可能であり、各ビットはこのテクノロジーのサポートを示すために「１」に設定され得る。例えば０ｘ０１という１６進値は、８０２．１１ａのサポートを示し、０ｘ０２という値は８０２．１１ｂのサポートを示し、０ｘ０４という値は８０２．１１ｇのサポートを示し、０ｘ０６という値は８０２．１１ｂと８０２．１１ｇのサポートを示し、０ｘ０７という値は８０２．１１ａと８０２．１１ｂと８０２．１１ｇのサポートを示す。
【００５５】
ＣＨＡＮＮＥＬフィールドは、チャネルを示しており、８０２．１１ｂ／ｇに関して１から１４であり得る。０というチャネルは任意のチャネルを意味し得る。ＧＲＯＵＰ ＭＡＳＫフィールド内の各ビットは異なるグループを表し得る。システムレコードは、如何なる所定のグループに関してもビットを「１」に設定することによってこのグループに関連付けられ得る。
【００５６】
表１１に示された実施形態について無線装置は、ネットワーク識別子テーブル内のシステムレコードのＳＳＩＤ、ＷＬＡＮ ＭＯＤＥ、およびＧＲＯＵＰ ＭＡＳＫフィールドに一致する如何なるＷＬＡＮシステムからでもサービスを取得できる。この実施形態に関しては同じ地理的領域内のＷＬＡＮシステムの間に優先度は存在しない。他の実施形態ではシステムレコードは、優先度を示すために使用される他のフィールドを含み得る。
【００５７】
システムレコードの異なるタイプは、異なるテクノロジー（例えば８０２．１１、１ｘ、１ｘＥＶ−ＤＯなど）のために定義されることが可能であり、ネットワーク識別子テーブル７００に含まれ得る。異なるシステムレコードタイプは、異なるテクノロジー固有フィールドに関連付けられ得る。これは、ネットワーク識別子テーブル７００がＷＬＡＮシステムおよび他のテクノロジーを使用する他のシステムに関するシステムレコードを記憶することを可能にする。
【００５８】
図３〜７と表１〜１１は、拡張ＰＲＬと、ＷＬＡＮシステムに関してシステム選択、捕捉、暗号化、および認証を実行するために使用される情報を記憶できるネットワーク識別子ファイルと、の特定の実施形態を示している。一般にこれらの情報は、（１）任意の数のテーブル、任意の数のレコード、および任意の数のフィールドに、（２）これらのテーブル、レコードおよびフィールドに関して任意のフォーマットを使用して、記憶され得る。システムおよび捕捉情報は、別々のシステムおよび捕捉レコードに（図３に示されたように）、またはシステムレコードに（図７に示されたように）記憶され得る。暗号化と認証に関する情報は、別々のプロファイルレコード内に記憶され得る（図７に示されたように）か、またはシステムレコードに結合され得る（これらの図のいずれにも示されていない）。
【００５９】
図８は、システム選択および捕捉のために無線装置によって実行されるプロセス８００の一実施形態を示す。最初にＷＷＡＮおよびＷＬＡＮシステムに関する情報を含むＰＲＬが、例えば不揮発性メモリから取得される（ブロック８１０）。ＰＲＬは、システム選択および捕捉のために使用される（ブロック８２０）。図８に示された実施形態ではブロック８２０に関して１つ以上の捕捉レコードがＰＲＬから取得される（ブロック８２２）。捕捉レコード（単数または複数）に基づいてＷＷＡＮおよび／またはＷＬＡＮシステムが探索されて捕捉される（ブロック８２４）。一度に１つの捕捉レコードを用いて捕捉が試みられ、ＰＲＬ内の捕捉レコードは予め決められた（例えば逐次的）順序で選択され得る。ＷＬＡＮシステムは、例えば捕捉レコードに示されたテクノロジー、帯域クラス、および／またはチャネルに基づいて捕捉され得る。少なくとも１つのシステムを捕捉した後に、捕捉されたシステム（単数または複数）ならびに同じ地理的領域内に在るＷＷＡＮおよび／またはＷＬＡＮシステムに関するシステムレコードがＰＲＬから取得される（ブロック８２６）。この地理的領域内のＷＷＡＮシステムまたはＷＬＡＮシステムは、例えばこの地理的領域内のＷＷＡＮおよびＷＬＡＮシステムに関する優先度に基づいて選択される（ブロック８２８）。この優先度は、表２と図４Ａに示されたようにシステムレコード内のＰＲＬフィールド、ＰＲＥＦＩＸフィールドおよび／または他のフィールドによって指示され得る。もし選択されたシステムが捕捉されていなければ、選択されたシステムの捕捉がそれの捕捉レコードに基づいて実行される。システム選択および捕捉は、捕捉され得る最も好ましいシステムからサービスが取得されるように繰り返し実行され得る。
【００６０】
もう１つの実施形態では最初に１ｘシステムが探索され、ＰＲＬ内の１ｘシステムに関する捕捉レコードに基づいて捕捉される。もし１ｘシステムが捕捉されれば、この１ｘシステムに関連するＷＬＡＮシステムがＰＲＬ内のシステムレコードに基づいて決定される。その後にこれらのＷＬＡＮシステムの１つ以上に対して捕捉が試みられ得る。システム選択および捕捉は、他の仕方でも実行可能である。
【００６１】
ブロック８３０で決定されたようにもし選択されたシステムがＷＬＡＮシステムであれば、このＷＬＡＮシステムに関するプロファイルレコードは、ＷＬＡＮ認証プロファイルテーブルから取得される（ブロック８３２）。プロファイルレコードによって指示されたようにＷＬＡＮシステムに関して暗号化および／または認証が実行され得る（ブロック８３４）。例えばプロファイルレコードは、どの暗号化スキーム（もしあれば）を使用すべきか、またどの認証スキーム（もしあれば）を使用すべきかを指示することができ、また更に暗号化および／または認証スキームのための関連情報を含み得る。それからこの暗号スキームに従って、また更にプロファイルレコード内の関連情報に基づいて、ＷＬＡＮシステムに関して暗号化が実行されるであろう。同様に認証スキームに従って、また更にプロファイルレコード内の関連情報に基づいてＷＬＡＮに対して認証が実行され得る。
【００６２】
ＷＬＡＮシステムに関するシステム選択および捕捉はまた、図７と表１０に示されたネットワーク識別子テーブルに基づいて実行され得る。システム選択は、ＰＲＬを用いるよりもネットワーク識別子テーブルを用いて異なる仕方で実行され得る。例えばＷＬＡＮシステムは、ネットワーク識別子テーブルを使用するときテクノロジー、帯域クラス、チャネル、ＷＬＡＮモード、および／または他の基準に基づいて選択され得る。ネットワーク識別子テーブル内の情報は、システム選択、捕捉、暗号化（もしあれば）、および認証（もしあれば）のために使用され得る。
【００６３】
図９は、無線装置１２０ｘのブロック図を示す。送信路上で無線装置１２０ｘによって送られるトラヒックデータと信号（搬送）は、データチップのストリームを得るために、符号器９１２によって処理され（例えばフォーマット化され、符号化され、インタリーブされ）、更に変調器（ＭＯＤ）９１４によって処理される（例えば変調され、拡散され、チャネル伝送され、そしてスクランブルされる）。それから送信機（ＴＭＴＲ）９２２は、アンテナ９２４を介して送信されるアップリンク信号を生成するためにデータチップストリームを調整する（例えばアナログに変換し、フィルタリング（濾波）し、増幅し、周波数アップコンバート（高周波変換）する）。受信路ではＷＷＡＮ１００内の基地局１１０および／またはＷＬＡＮ１０２内のアクセスポイント１１２によって送信されたダウンリンク信号は、アンテナ９２４によって受信されて受信機ユニット（ＲＣＶＲ）９２６に供給される。受信機ユニット９２６は、受信信号を調整し（例えばフィルタリングし、増幅し、周波数ダウンコンバート（低周波変換））し、更にデータサンプルを得るために調整された信号をディジタル化する。復調器（ＤＥＭＯＤ）９１６は、記号を得るためにデータサンプルを処理する（例えばデスクランブル（整頓）し、デスプレッド（不拡散）し、チャネル伝送し、復調する）。復号器９１８は、復号されたデータを得るために記号を更に処理する（例えばデインタリーブして復号する）。符号器９１２、変調器９１４、復調器９１６、および復号器９１８は、モデムプロセッサ９１０によって実現され得る。これらのユニットは、無線装置１２０ｘが通信するＷＷＡＮまたはＷＬＡＮシステムによって使用されるテクノロジーに従って処理を実行する。
【００６４】
プロセッサ／コントローラ９３０は、無線装置１２０ｘ内の種々のユニットの動作を指図する。プロセッサ／コントローラ９３０は、システム選択および捕捉のための図８のプロセス８００を実施できる。メモリユニット９３２は、プロセッサ／コントローラ９３０と他のユニットによって使用されるプログラムコードとデータとを記憶する。メモリユニット９３２は、ＷＷＡＮおよびＷＬＡＮシステムに関するＰＲＬと、ＷＬＡＮシステムに関するプロファイルテーブルおよび／またはＷＬＡＮシステムとおそらくは他のシステムとに関するネットワーク識別子（ＮＩ）テーブルと、を記憶し得る。ＰＲＬ、プロファイルテーブルおよび／またはＮＩテーブルは、前述のようにシステム選択および捕捉のために使用され得る。着脱可能モジュール９３４は、ＰＲＬ、プロファイルテーブルおよび／またはＮＩテーブルを記憶できる不揮発性メモリを含む。着脱可能モジュール９３４は、
着脱可能ユーザ識別モジュール（Ｒ−ＵＩＭ）（ｃｄｍａ２０００のために使用される）、加入者識別モジュール（ＳＩＭ）（Ｗ−ＣＤＭＡとＧＳＭのために使用される）、ユニバーサル加入者識別モジュール（ＵＳＩＭ）（同様にＷ−ＣＤＭＡとＧＳＭのために使用される）などであり得る。
【００６５】
ＰＲＬサーバ１５０は、ＳＭＳメッセージを使用するＰＲＬの無線プログラミングをサポートする。ＰＲＬサーバ１５０は、ＷＷＡＮおよびＷＬＡＮシステムに関するレコードを有するＰＲＬを形成でき、ＰＲＬに関するデータブロックを生成し、ショートメッセージサービス（ＳＭＳ）サービスセンター１４０にデータブロックを転送する。センター１４０は、１つ以上のＳＭＳメッセージ内のデータブロックをカプセル化する。ＭＳＣ１３０は、ＳＭＳメッセージを受信し、これらのメッセージを自分のサービスエリア内の無線装置に無線で送信する基地局１１０ｘにこれらのメッセージを転送する。無線サービス提供機能（ＯＴＡＦ）（図９には示されず）もまた、ＰＲＬの無線プログラミングをサポートする。ＯＴＡＦは、ＷＷＡＮおよびＷＬＡＮシステムに関するレコードを有するＰＲＬを形成し、ＰＲＬに関するデータブロックを生成し、このデータブロックを１つ以上のメッセージ内にカプセル化する。ＭＳＣ１３０は、ＯＴＡＦからメッセージ（単数または複数）を受信し、このメッセージ（単数または複数）を無線装置への送信のために基地局１１０ｘに転送する。
【００６６】
無線装置１２０ｘにおいてプロセッサ／コントローラ９３０は、ＰＲＬセンター１５０またはＯＴＡＦによって送られたＰＲＬを有する復号されたデータブロックを受信でき、またこのＰＲＬをメモリユニット９３２および／または着脱可能モジュール９３４内に記憶できる。プロセッサ／コントローラ９３０はまた、ＷＬＡＮシステムに関する、ユーザからシステムおよび／またはセキュリティ関連情報を受信でき、この情報をメモリユニット９３２および／または着脱可能モジュール９３４内に記憶できる。
【００６７】
本明細書で説明された技法は、種々の手段によって実現可能である。例えばこれらの技法は、ハードウエア、ソフトウエアまたはこれらの組合せにおいて実現され得る。ハードウエア実現のために、システム選択および捕捉を実行するために使用される処理ユニットは、１つ以上の特定用途向け集積回路（ＡＳＩＣ）、ディジタル信号プロセッサ（ＤＳＰ）、ディジタル信号処理装置（ＤＳＰＤ）、プログラム可能論理装置（ＰＬＤ）、フィールドプログラマブル（利用者書込み可能）ゲートアレイ（ＦＰＧＡ）、プロセッサ、コントローラ、マイクロコントローラ、マイクロプロセッサ、電子装置、本明細書で説明された機能を実行するように設計された他の電子装置、またはこれらの組合せの内において実現され得る。
【００６８】
ソフトウエア実現のためにこれらの技法は、本明細書で説明された機能を実行するモジュール（例えば手順、関数など）によって実現され得る。ソフトウエアコードは、メモリユニット（例えば図９のメモリユニット９３２）内に記憶され、プロセッサ（例えばプロセッサ９３０）によって実行され得る。メモリユニットは、プロセッサの内部またはプロセッサの外部に実現可能である。
【００６９】
開示された実施形態の前述の説明は、当業者であれば本発明を実施または使用できるようにするために提供されている。これらの実施形態に対する種々の修正は当分野に精通する人々にとって直ちに明らかであろうし、また本明細書で定義された一般的原理は本発明の精神または範囲から逸脱せずに他の実施形態に適用可能である。したがって本発明は、本明細書に示された実施形態に限定されるようには意図されておらず、本明細書に開示された原理と新規な特徴とに一致する最も広い範囲を与えられるべきである。
【図面の簡単な説明】
【００７０】
【図１】ＷＷＡＮおよびＷＬＡＮシステムによる展開配置を示す図である。
【図２】ＩＳ−６８３−ＡとＴＩＡ−６８３−Ｃにおいて使用される構造を有するＰＲＬを示す図である。
【図３】ＴＩＡ−６８３−Ｃによって定義される拡張ＰＲＬを示す図である。
【図４Ａ】ＷＬＡＮに関する拡張システムレコードを示す図である。
【図４Ｂ】ＷＬＡＮに関する２つの拡張捕捉レコードを示す図である。
【図４Ｃ】ＷＬＡＮに関する２つの拡張捕捉レコードを示す図である。
【図５】ＷＬＡＮに関する認証プロファイルテーブルを示す図である。
【図６Ａ】ＷＬＡＮに関する２つの認証プロファイルを示す図である。
【図６Ｂ】ＷＬＡＮに関する２つの認証プロファイルを示す図である。
【図７】ＷＬＡＮに関するネットワーク識別子テーブルを示す図である。
【図８】システム選択および捕捉を実行するためのプロセスを示す図である。
【図９】無線装置のブロック図である。
【図１】
2008547270.tif 000014
【図２】
2008547270.tif 000015
【図３】
2008547270.tif 000016
【図４Ａ】
2008547270.tif 000017
【図４Ｂ】
2008547270.tif 000018
【図４Ｃ】
2008547270.tif 000019
【図５】
2008547270.tif 000020
【図６Ａ】
2008547270.tif 000021
【図６Ｂ】
2008547270.tif 000022
【図７】
2008547270.tif 000023
【図８】
2008547270.tif 000024
【図９】
2008547270.tif 000025
【国際調査報告】
2008547270.tif 000026
2008547270.tif 000027
2008547270.tif 000028
2008547270.tif 000029
2008547270.tif 000030